(57)【要約】【課題】ユーザの利便性を向上させる。【解決手段】操作装置１０において、操作部１１は、少なくとも２つの操作パターンを受け付けることができるように構成されている。制御部１４は、検出部１３によって検出された操作パターンに応じた長さの期間、スイッチ１５をオフさせる。また、照明器具２０において、制御部２２が、検出部２１において検出された電力レベルが低下した期間の長さが第１の時間範囲に含まれる場合、通信部２６への電力供給を維持したまま、照明部２５への電力供給を停止する。【選択図】図１
2014067494.tif 000002
【特許請求の範囲】
【請求項１】
電源と接続される操作装置と；
前記操作装置を介して前記電源と接続される照明制御装置と；
入力端が前記電源と接続され、オンしている時に電力を出力し、オフしている時に前記電力の出力を停止するスイッチと；
前記操作装置が操作されたことを検出する第１の検出部と；
前記検出された操作に応じて前記スイッチをオフさせる第１の制御部と；
命令信号を受け付ける通信部と；
前記スイッチから出力された電力のレベルを検出する第２の検出部と；
前記レベルが低下した期間の長さが所定の時間範囲に含まれる場合、照明器具への電力の供給と停止を切り替える第２の制御部と；
を具備する、
ことを特徴とする照明システム。
【請求項２】
操作装置を介して電源と接続される照明器具であって、
端末からの操作を受け付ける通信部と；
前記操作装置の出力電力を用いて点灯する照明部と；
前記操作装置から出力された電力のレベルを検出する検出部と；
前記レベルが低下した期間の長さが第１の時間範囲に含まれる場合、前記通信部への電力供給を維持し、且つ、前記照明部への電力の供給と停止を切り替える制御部と；
を具備することを特徴とする照明器具。
【請求項３】
前記制御部は、前記レベルが低下した期間の長さが前記第１の時間範囲と重ならない第２の時間範囲に含まれる場合、前記照明部を現点灯モードから他の点灯モードに変更させる、
ことを特徴とする請求項２に記載の照明器具。
【請求項４】
前記制御部は、設定変更信号に基づいて前記第１の時間範囲の設定値を変更する、
ことを特徴とする請求項２又は３に記載の照明器具。
【請求項５】
電源と接続され、照明器具へ電力を出力する操作装置であって、
操作を受け付ける操作部と；
入力端が前記電源と接続され、オンしている時に電力を出力し、オフしている時に前記電力の出力を停止するスイッチと；
前記操作部が操作された操作パターンを検出する検出部と；
前記検出された操作パターンに応じた長さの期間、前記スイッチをオフさせる制御部と；
を具備することを特徴とする操作装置。
【請求項６】
前記検出部によって検出される操作パターンの候補は、前記操作部を第１の期間押下する第１のパターンと、前記第１の期間よりも長い期間である第２の期間押下する第２のパターンとを含む、
ことを特徴とする請求項５に記載の操作装置。
【請求項７】
前記制御部は、設定変更信号に基づいて前記スイッチがオフされる期間の長さの設定値を変更する、
ことを特徴とする請求項５に記載の操作装置。
【請求項８】
ネットワークと接続され、前記設定変更信号を端末から前記ネットワークを介して受信する通信部；
を具備することを特徴とする請求項７に記載の操作装置。
【発明の詳細な説明】
【技術分野】
【０００１】
本発明の実施形態は、照明システム、照明器具、及び操作装置に関する。
【背景技術】
【０００２】
従来、通信部を具備し、リモコン等の端末から送信され通信部で受信された制御信号に基づいて点灯又は消灯する、照明器具が知られている。このような照明機器は、端末による操作だけでなく、壁等に配設された操作部によって照明機器へ電力を供給又は停止することにより、点灯又は消灯させることができる。
【０００３】
しかしながら、従来の照明器具は、操作部に対する操作によって消灯状態となると、通信部への電力供給も停止されるため、端末を用いた操作ができなくなってしまう。すなわち、従来の照明器具は操作部に対する操作によって消灯状態にされると、ユーザの使い勝手が悪くなってしまう。
【先行技術文献】
【特許文献】
【０００４】
【特許文献１】特開平５−９１５７１号公報
【発明の概要】
【発明が解決しようとする課題】
【０００５】
本発明が解決しようとする課題は、ユーザの利便性を向上させる、照明システム、照明器具、及び操作装置を提供することである。
【課題を解決するための手段】
【０００６】
実施形態に係る照明システムは、電源と接続される操作装置と、前記操作装置を介して前記電源と接続される照明制御装置と、スイッチと、第１の検出部と、第１の制御部と、通信部と、インタフェースと、第２の検出部と、第２の制御部と、を具備する。スイッチは、入力端が前記電源と接続され、オンしている時に電力を出力し、オフしている時に前記電力の出力を停止する。第１の検出部は、前記操作装置が操作された操作パターンを検出する。第１の制御部は、前記検出された操作パターンに応じた長さの期間、前記スイッチをオフさせる。通信部は、端末に対する操作に応じた命令信号を受け付ける。インタフェースは、照明器具が接続され、前記スイッチから出力された電力を前記照明器具へ出力する。第２の検出部は、前記スイッチから出力された電力のレベルを検出する。第２の制御部は、前記レベルが低下した期間の長さが所定の時間範囲に含まれる場合、前記インタフェースへの電力供給を停止する。
【発明の効果】
【０００７】
本発明によれば、ユーザの利便性を向上させる照明システム、照明器具、及び操作装置を提供することができる。
【図面の簡単な説明】
【０００８】
【図１】図１は、第１の実施形態に係る照明システムの一例を示す図である。
【図２】図２は、第１の実施形態に係る操作装置の一例を示す図である。
【図３】図３は、第１の実施形態に係る照明器具の一例を示す図である。
【図４】図４は、第２の実施形態に係る操作装置の一例を示す図である。
【図５】図５は、第２の実施形態に係る照明器具の一例を示す図である。
【図６】図６は、第３の実施形態に係る照明システムの一例を示す図である。
【図７】図７は、第３の実施形態に係る照明制御装置の一例を示す図である。
【図８】図８は、第４の実施形態に係る照明制御装置の一例を示す図である。
【図９】図９は、第６の実施形態に係る照明システムの一例を示す図である。
【図１０】図１０は、第６の実施形態に係る操作装置の一例を示す図である。
【発明を実施するための形態】
【０００９】
以下で説明する第１の実施形態では、照明システム１における操作装置１０において、制御部１４は、検出部１３によって検出された操作パターンに応じた長さの期間、スイッチ１５をオフさせる。
【００１０】
これに対して、照明器具２０において、制御部２２が、検出部２１において検出された電力レベルが低下した期間の長さが第１の時間範囲に含まれる場合、通信部２６への電力供給を維持したまま、照明部２５への電力供給を停止する。
【００１１】
第２の実施形態では、通信部が照明器具にではなく操作装置に設けられる。
【００１２】
第３の実施形態では、照明部以外の機能部が照明器具とは別体である照明制御装置に設けられる。
【００１３】
第４の実施形態では、通信部が照明器具にではなく操作装置に設けられる。
【００１４】
第５の実施形態では、照明器具のモードとして、全点灯モード及び消灯モード以外のモードが導入される。
【００１５】
第６の実施形態では、操作装置がネットワークを介して端末と接続される。
【００１６】
以下、図面を参照して、実施形態に係る照明システム、照明器具、及び操作装置を説明する。実施形態において同一の機能を有する構成には同一の符号を付し、重複する説明は省略される。
【００１７】
［第１の実施形態］
［照明システムの構成］
図１は、第１の実施形態に係る照明システムの一例を示す図である。図１において、照明システム１は、電源に接続された操作装置１０と、照明器具２０と、端末３０とを有する。
【００１８】
操作装置１０は、操作部１１と、表示部１２とを有する。操作装置１０は、ユーザが操作部１１を操作した操作パターンに応じた制御信号を形成し、形成された制御信号を、電力線を介して照明器具２０へ送出する。また、操作装置１０は、操作パターンに応じた表示内容を表示部１２に表示する。
【００１９】
端末３０は、ユーザの操作に応じた制御信号を照明器具２０へ送信する。端末３０は、赤外線通信及び無線通信等の有線でない通信によって、制御信号を送信する。
【００２０】
照明器具２０は、操作装置１０と電力線を介して接続されている。すなわち、照明器具２０は、操作装置１０を介して電力が供給されている。また、照明器具２０は、操作装置１０又は端末３０から送信された制御信号に基づいて点灯又は消灯などの動作を行う。
【００２１】
［操作装置の構成］
図２は、第１の実施形態に係る操作装置の一例を示す図である。図２において、操作装置１０は、操作部１１と、表示部１２と、検出部１３と、制御部１４と、スイッチ１５とを有する。
【００２２】
操作部１１は、少なくとも２つの操作パターンを受け付けることができるように構成されている。操作部１１は、例えば、ボタンを含む。このボタンをユーザが押下すると、導通状態となり検出部１３へ電流が流れ込む。
【００２３】
検出部１３は、操作部１１に対して行われた操作パターンを検出する。検出部１３は、例えば、電流が流れ込んでいる期間の長さを計測し、計測された期間長が第１の閾値以上第２の閾値未満であれば、操作パターンとして「短押し」を検出し、第２の閾値以上であれば、「長押し」を検出する。
【００２４】
制御部１４は、検出部１３において検出された操作パターンに応じた制御信号を形成する。具体的には、制御部１４は、検出部１３において検出された操作パターンに応じた長さの間スイッチ１５をオフにし、その後オンにする。すなわち、操作装置１０は、ワンショットオフスイッチを構成している。これにより、照明器具２０へ供給される電力レベルが操作パターンに応じた長さだけ低下することになる。すなわち、照明器具２０へ供給される電力レベルの低下期間の長さが、制御信号として利用される。スイッチ１５をオフにする期間の長さ、つまり電力レベルの低下期間の長さは、１０ミリ秒以上１００ミリ秒以下が好ましい。１０ミリ秒以上とすることにより、雷等に起因する瞬断と制御信号とを区別することができる。ここでは、短押しの場合、スイッチ１５を第１の期間オフにし、長押しの場合、第１の期間より長い第２の期間オフにする。ここで、第１の期間の長さ及び第２の期間の長さは、操作装置１０を操作することにより、変更できるようにしてもよい。この場合、制御部１４は、操作部１１から設定変更信号を受け取り、この設定変更信号に基づいて第１の期間の長さ及び第２の期間の長さを変更する。また、制御部１４は、照明器具２０に対しても設定変更信号を送出する。
【００２５】
また、制御部１４は、短押しの場合、表示部１２に「通信作動中」を示す情報を表示させ、長押しの場合、「給電遮断中」を示す情報を表示させる。
【００２６】
スイッチ１５は、制御部１４の制御によってオンオフする。スイッチ１５は、入力端が電源と接続され、出力端が照明器具２０と接続される。
【００２７】
［照明器具の構成］
図３は、第１の実施形態に係る照明器具の一例を示す図である。図３において、照明器具２０は、検出部２１と、制御部２２と、スイッチ２３，２４と、照明部２５と、通信部２６とを有する。照明器具２０は、電力線を介して操作装置１０と接続されて使用される。
【００２８】
検出部２１は、操作装置１０に繋がる電力線と接続される。また、検出部２１は、操作装置１０から送出された制御信号を検出する。具体的には、検出部２１は、操作装置１０を介して受け取る電力のレベルが閾値以下である期間の長さを計測し、計測値を制御部２２へ出力する。
【００２９】
制御部２２は、検出部２１から受け取る計測値が第１の時間範囲に含まれる場合、つまり、検出部２１から受け取る計測値が上記した第１の期間に対応する場合、スイッチ２４をオンのまま、スイッチ２３をオフにする。一方、検出部２１から受け取る計測値が第２の時間範囲に含まれる場合、つまり、検出部２１から受け取る計測値が上記した第２の期間に対応する場合、制御部２２は、スイッチ２４及びスイッチ２３の両方をオフにする。なお、第１の時間範囲及び第２の時間範囲は、操作装置１０又は端末３０の操作によって、変更できるようにしてもよい。この場合、制御部２２は、操作装置１０から受け取った設定変更信号、又は、端末３０から通信部２６を介して受け取った設定変更信号に基づいて、第１の時間範囲及び第２の時間範囲を変更する。
【００３０】
また、制御部２２は、通信部２６を介して制御信号を受信し、受信された制御信号の示す内容に応じてスイッチ２３及びスイッチ２４をオン又はオフにする。
【００３１】
スイッチ２３及びスイッチ２４は、制御部２２の制御によってオンオフする。スイッチ２３は、入力端が操作装置１０に繋がる電力線に接続され、出力端が照明部２５と接続される。また、スイッチ２４は、入力端が操作装置１０に繋がる電力線に接続され、出力端が通信部２６と接続される。
【００３２】
照明部２５は、スイッチ２３の出力端と接続され、スイッチ２３がオンしている時に電力の供給を受けて点灯する。照明部２５は、例えば、ＬＥＤ（Light Emitting Diode）である。
【００３３】
通信部２６は、スイッチ２４の出力端と接続され、スイッチ２４がオンしている時に動作する。通信部２６は、例えば、赤外線受信部又は無線受信部である。通信部２６は、端末３０から送信された制御信号を受信し、制御部２２へ出力する。
【００３４】
［照明システムの動作］
以上の構成を有する照明システムの動作について説明する。
【００３５】
夜間寝ている間等には照明を遠隔操作するニーズに乏しいので、通信部２６に給電し続けると電力の無駄である。従って、ユーザは、長押し操作することにより、照明部２５及び通信部２６を非作動状態にする。すなわち、ユーザが長押し操作すると、操作装置１０から第２の期間だけレベルが低下した電力が照明器具２０へ出力される。そして、照明器具２０の検出部２１において第２の期間のレベル低下が検出され、制御部２２によってスイッチ２３及びスイッチ２４の両方がオフにされる。これにより、照明部２５及び通信部２６の両方が非作動状態になる。
【００３６】
この状態になると、端末３０の操作によって照明部２５を点灯させることはできないので、ユーザは、操作装置１０まで足を運び、操作装置１０を操作して照明部２５を点灯させることになる。
【００３７】
従って、省電力のため照明を消灯しても、暫くして端末３０の操作によって点灯させる可能性が高い場合には、ユーザは、短押し操作することにより、通信部２６を作動状態にしたまま、照明部２５を非作動状態にする。すなわち、ユーザが短押し操作すると、操作装置１０から第１の期間だけレベルが低下した電力が照明器具２０へ出力される。そして、照明器具２０の検出部２１において第１の期間のレベル低下が検出され、制御部２２によってスイッチ２３がオフにされる。これにより、照明部２５が非作動状態になる。
【００３８】
以上のように本実施形態によれば、照明器具２０において、制御部２２が、検出部２１において検出された電力レベルが低下した期間の長さが第１の時間範囲に含まれる場合、通信部２６への電力供給を維持したまま、照明部２５への電力供給を停止する。
【００３９】
こうすることで、照明器具２０に対する遠隔操作が可能な状態を維持したまま、照明部２５を非作動状態にできるので、省電力を実現しつつユーザの利便性を向上させることができる。また、電力レベルの状態変化を制御信号として用いることができるので、新たに制御線を引く必要が無く、システム構成を簡単にすることができる。
【００４０】
また、第１の時間範囲は、１０ミリ秒以上１００ミリ秒未満であることが好ましい。こうすることで、雷等に起因する瞬断による電力レベルの低下と区別することができる。
【００４１】
また、制御部２２は、設定変更信号に基づいて、第１の時間範囲を変更する。こうすることで、第１の時間範囲を好適な値に設定することができる。
【００４２】
また、操作装置１０において、制御部１４は、検出部１３によって検出された操作パターンに応じた長さの期間、スイッチ１５をオフさせる。
【００４３】
こうすることで、電力レベルの低下期間の長さを制御信号として用いることができるので、新たに制御線を引く必要が無く、システム構成を簡単にすることができる。
【００４４】
また、検出部１３によって検出される操作パターンの候補には、操作部１１を第１の期間押下する第１のパターン、つまり短押し操作と、第１の期間よりも長い期間である第２の期間押下する第２のパターン、つまり長押し操作とが含まれる。
【００４５】
また、スイッチ１５がオフされる期間の長さは、１０ミリ秒以上１００ミリ秒未満であることが好ましい。こうすることで、雷等に起因する瞬断による電力レベルの低下と区別することができる。
【００４６】
また、制御部１４は、設定変更信号に基づいて、スイッチ１５がオフされる期間の長さの設定値を変更する。こうすることで、スイッチ１５がオフされる期間の長さの設定値を好適な値に設定することができる。
【００４７】
［第２の実施形態］
第２の実施形態では、通信部が照明器具にではなく操作装置に設けられる。なお、第２の実施形態における照明システムの構成は第１の実施形態と同じである。
【００４８】
［操作装置の構成］
図４は、第２の実施形態に係る操作装置の一例を示す図である。図４において、操作装置４０は、制御部４１と、スイッチ４２と、通信部４３とを有する。
【００４９】
制御部４１は、短押し操作、及び、長押し操作のいずれの場合にも、スイッチ１５を第１の期間オフにする。これにより、電力レベルの低下期間が形成され、これが制御信号として用いられ、照明器具５０が消灯する。ただし、長押し操作の場合には、制御部４１は、スイッチ４２をオフにする。これにより、通信部４３への電力供給が停止される。なお、第１の期間の長さ及び第２の期間の長さは、操作装置１０又は端末３０の操作によって、変更できるようにしてもよい。この場合、制御部４１は、操作部１１から受け取った設定変更信号、又は、端末３０から通信部４３を介して受け取った設定変更信号に基づいて、第１の期間の長さ及び第２の期間の長さを変更する。
【００５０】
スイッチ４２は、入力端が電源と接続され、出力端が通信部４３と接続される。また、スイッチ４２は、長押し操作が為された場合に制御部４１から制御信号を受け取り、オフ状態になる。これにより、通信部４３への電力供給が停止される。
【００５１】
通信部４３は、スイッチ４２の出力端と接続され、スイッチ４２がオンしている時に動作する。通信部４３は、例えば、赤外線受信部又は無線受信部である。通信部４３は、端末３０から送信された制御信号を受信し、制御部４１へ出力する。
【００５２】
［照明器具の構成］
図５は、第２の実施形態に係る照明器具の一例を示す図である。図５において、照明器具５０は、制御部５１を有する。
【００５３】
検出部２１から受け取る計測値が上記した第１の期間に対応する場合、制御部５１は、スイッチ２３をオフにする。なお、第１の時間範囲及び第２の時間範囲は、操作装置１０又は端末３０の操作によって、変更できるようにしてもよい。この場合、制御部５１は、操作装置１０から受け取った設定変更信号に基づいて、第１の時間範囲及び第２の時間範囲を変更する。
【００５４】
以上のように本実施形態によれば、操作装置４０において、制御部４１は、短押し操作が検出された場合、通信部４３への電力供給を維持しつつ、スイッチ１５を第１の期間オフにする。
【００５５】
こうすることで、照明器具２０に対する遠隔操作が可能な状態を維持したまま、照明部２５を非作動状態にできるので、省電力を実現しつつユーザの利便性を向上させることができる。また、電力レベルの状態変化を制御信号として用いることができるので、新たに制御線を引く必要が無く、システム構成を簡単にすることができる。
【００５６】
［第３の実施形態］
第１の実施形態では、検出部、制御部、及び照明部が照明器具に設けられている。これに対して、第３の実施形態では、照明部以外の機能部は、照明器具とは別体である照明制御装置に設けられる。
【００５７】
［照明システムの構成］
図６は、第３の実施形態に係る照明システムの一例を示す図である。図６において、照明システム２は、照明制御装置６０と、照明器具７０とを有する。
【００５８】
照明制御装置６０は、操作装置１０と電力線を介して接続されている。また、照明制御装置６０は、操作装置１０又は端末３０から送信された制御信号に基づいて、照明器具７０を点灯又は消灯させる。
【００５９】
［照明制御装置の構成］
図７は、第３の実施形態に係る照明制御装置の一例を示す図である。図７において、照明制御装置６０は、インタフェース６１を有する。照明制御装置６０は、操作装置１０と共に、照明制御システムを構成する。また、照明制御装置６０は、照明器具７０が例えばシーリングライトである場合、天井に設置される。
【００６０】
インタフェース６１は、スイッチ２３の出力端と接続される。また、インタフェース６１は、照明器具７０が取り付け可能に構成されている。インタフェース６１に取り付けられた照明器具７０には、スイッチ２３がオンすることにより、電力が供給される。
【００６１】
以上のように本実施形態によれば、照明制御装置６０において、制御部２２が、検出部２１において検出された電力レベルが低下した期間の長さが第１の時間範囲に含まれる場合、通信部２６への電力供給を維持したまま、インタフェース６１への電力供給を停止する。
【００６２】
こうすることで、照明器具７０に対する遠隔操作が可能な状態を維持したまま、照明器具７０を非作動状態にできるので、省電力を実現しつつユーザの利便性を向上させることができる。また、電力レベルの状態変化を制御信号として用いることができるので、新たに制御線を引く必要が無く、システム構成を簡単にすることができる。
【００６３】
［第４の実施形態］
第３の実施形態では、通信部が照明制御装置に設けられている。これに対して、第４の実施形態では、第２の実施形態と同様に、通信部が操作装置に設けられる。なお、第４の実施形態における照明システムの構成は第３の実施形態と同じである。
【００６４】
［照明制御装置の構成］
図８は、第４の実施形態に係る照明制御装置の一例を示す図である。図８において、照明制御装置８０は、インタフェース８１を有する。照明制御装置８０は、操作装置１０と共に、照明制御システムを構成する。
【００６５】
インタフェース８１は、スイッチ２３の出力端と接続される。また、インタフェース８１は、照明器具７０が取り付け可能に構成されている。インタフェース８１に取り付けられた照明器具７０には、スイッチ２３がオンすることにより、電力が供給される。
【００６６】
以上のように本実施形態によれば、照明制御装置８０において、制御部５１は、検出部２１において検出された電力レベルが低下した期間の長さが第１の時間範囲に含まれる場合、インタフェース８１への電力供給を停止する。
【００６７】
こうすることで、照明器具７０を非作動状態にできるので、省電力を実現できる。また、電力レベルの状態変化を制御信号として用いることができるので、新たに制御線を引く必要が無く、システム構成を簡単にすることができる。
【００６８】
［第５の実施形態］
第１から第４の実施形態では、照明装置のモードについて点灯モードと、消灯モードとの２つのモードについて説明を行った。第５の実施形態では、点灯モード、消灯モード（通信部ＯＮ）、及び消灯モード（通信部ＯＦＦ）以外の第４のモードを設ける場合について説明する。なお、第１から第４の実施形態のいずれに対しても、第４のモードを適用することは可能であるが、ここでは、特に、第１の実施形態の照明システムに適用する場合を例にとり説明する。
【００６９】
第５の実施形態の操作装置１０において、検出部１３は、操作部１１に対して行われた操作パターンを検出する。具体的には、第１の閾値以上で第２の閾値未満の時間範囲は、複数の時間範囲に分割される。そして、検出部１３は、電流が流れ込んでいる期間の長さを計測し、計測された期間長が含まれる時間範囲を検出する。これにより、検出された時間範囲に対応する操作パターンを検出することができる。
【００７０】
制御部１４は、検出部１３において検出された操作パターンに応じた制御信号を形成する。具体的には、制御部１４は、検出部１３において検出された操作パターンに応じた長さの間スイッチ１５をオフにし、その後オンにする。
【００７１】
第５の実施形態の照明器具２０において、制御部２２は、点灯モード（第１のモード）の状態で、検出部２１から受け取る計測値が、第１の時間範囲に含まれる場合、第１の実施形態と同様に、スイッチ２４をオンのまま、スイッチ２３をオフにする（第２のモード）。また、制御部２２は、検出部２１から受け取る計測値が、第１の時間範囲と重ならない第２の時間範囲に含まれる場合、スイッチ２４及びスイッチ２３をオンのまま、照明部２５の色（例えば、電球色、白色、ピンク色など）を変化させる（第４のモード）。又は、制御部２２は、検出部２１から受け取る計測値が、第１の時間範囲と重ならない第２の時間範囲に含まれる場合、スイッチ２４及びスイッチ２３をオンのまま、照明部２５を省電力点灯モードに変化させる（第４のモード）。なお、ここで用いられる第１の時間範囲及び第２の時間範囲は、電力低下時間と比較されるものであり、検出部１３で用いられる複数の時間範囲とは異なる。
【００７２】
以上のように本実施形態によれば、照明器具２０において、制御部２２は、検出部２１において検出された電力のレベルが低下した期間の長さが第１の時間範囲と重ならない第２の時間範囲に含まれる場合、照明部２５を現点灯モードから他の点灯モードに変更させる。
【００７３】
こうすることで、点灯モード及び消灯モード以外のモードを細かく設定できるので、ユーザの利便性を向上させることができる。
【００７４】
［第６の実施形態］
第６の実施形態では、通信部を具備する操作装置と端末とが基地局及びネットワークを介して接続される。
【００７５】
［照明システムの構成］
図９は、第６の実施形態に係る照明システムの一例を示す図である。図９において、照明システム３は、基地局９０と、操作装置１００とを有する。
【００７６】
端末３０は、基地局９０及びネットワークを介して操作装置１００と接続される。
【００７７】
ユーザによって操作されると、端末３０は、操作パターンに応じた命令信号を基地局９０へ無線によって送信する。また、端末３０は、設定変更信号を基地局９０へ無線によって送信する。これらの命令信号及び設定変更信号は、基地局９０及びネットワークを介して操作装置１００へ伝送される。
【００７８】
操作装置１００は、端末３０から送信された命令信号を受信し、受信された命令信号に応じた制御信号を形成する。
【００７９】
［操作装置の構成］
図１０は、第６の実施形態に係る操作装置の一例を示す図である。図１０において、操作装置１００は、通信部１０１と、制御部１０２とを有する。
【００８０】
通信部１０１は、第２の実施形態の通信部４３と同じ機能を有する。さらに、通信部１０１は、基地局９０及びネットワークを介して、端末３０から送信された命令信号を受信し、制御部１０２へ出力する。
【００８１】
制御部１０２は、第２の実施形態の制御部４１と同じ機能を有する。さらに、制御部１０２は、通信部１０１から受け取る命令信号に応じた制御信号を形成する。すなわち、命令信号は端末３０の操作パターンによって異なるので、操作パターンに応じた制御信号が形成されることになる。
【００８２】
具体的には、制御部１０２は、第１の操作パターンに対応する命令信号を受け取った場合、第２の実施形態の短押し操作の場合と同様に、スイッチ１５を第１の期間オフにする。この場合には、スイッチ４２は、オフにされず、オンのままである。
【００８３】
また、制御部１０２は、第２の操作パターンに対応する命令信号を受け取った場合、第２の実施形態の長押し操作の場合と同様に、スイッチ１５を第１の期間オフにし、スイッチ４２をオフにする。これにより、照明器具５０は消灯され、通信部４３への電力供給は停止される。
【００８４】
また、制御部１０２は、第３の操作パターンに対応する命令信号を受け取った場合、第５の実施形態の場合と同様に、第４のモードに切り替えるための制御信号を形成し、照明器具５０へ送出する。
【００８５】
以上のように本実施形態によれば、スマートフォン等のネットワーク端末を端末３０として利用することができる。
【００８６】
なお、以上の説明では、第２の実施形態の操作装置をネットワークに接続させるのと同等の照明システムについて説明したが、これに限定されるものではなく、第４の実施形態の操作装置をネットワークに接続させてもよい。
【００８７】
以上説明したとおり、第１から第６の実施形態によれば、ユーザの利便性を向上させることができる。
【００８８】
［他の実施形態］
第１から第６の実施形態では、操作部の押下時間によって操作パターンが区別される例を取り説明を行ったが、これに限定されない。例えば、操作部に複数のスイッチボタンが設けられ、それぞれのボタンに操作パターンが対応付けられていてもよい。又は、操作部のスイッチボタンが複数段の状態に遷移可能に構成され、それぞれの状態に操作パターンが対応付けられていてもよい。
【００８９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９０】
１，２，３  照明システム
１０，４０，１００  操作装置
１１  操作部
１２  表示部
１３，２１  検出部
１４，２２，４１，５１，１０２  制御部
１５，２３，２４，４２  スイッチ
２０，５０，７０  照明器具
２５  照明部
２６，４３，１０１  通信部
３０  端末
６０，８０  照明制御装置
６１，８１  インタフェース
９０  基地局
【図１】
2014067494.tif 000003
【図２】
2014067494.tif 000004
【図３】
2014067494.tif 000005
【図４】
2014067494.tif 000006
【図５】
2014067494.tif 000007
【図６】
2014067494.tif 000008
【図７】
2014067494.tif 000009
【図８】
2014067494.tif 000010
【図９】
2014067494.tif 000011
【図１０】
2014067494.tif 000012